(57)【要約】【課題】スライド操作時のバネの変形を抑え、バネのピッチずれを抑えることにより、ノイズ音及び電気的ノイズの発生が低減され、また、操作感触が良好なズームスイッチを提供する。【解決手段】スライド操作部材１と、スライド操作部材１に設けられた一対のガイド突起３，４が挿入されてスライド操作部材１のスライド操作方向を規定する案内溝５を有する固定側部材２と、一対のガイド突起３，４間に配置され両端部をこれらガイド突起３，４に対向させるとともに両端部を固定側部材２に設けられた一対の係止部７，８に対向させている圧縮コイルバネ６とを備え、圧縮コイルバネ６は、中央部が伸縮部６ａとなされ、この伸縮部６ａの両端側が変形抑制部６ｂ，６ｂとなされており、伸縮部６ａのピッチが変形抑制部６ｂ，６ｂのピッチよりも大きくなっている。【選択図】図１
2007178795.tif 000002
【特許請求の範囲】
【請求項１】
スライド操作部材と、
前記スライド操作部材に設けられた一対のガイド突起が挿入されて前記スライド操作部材のスライド操作方向を規定する案内溝を有する固定側部材と、
前記一対のガイド突起間に配置され、両端部をこれらガイド突起に対向させるとともに、該両端部を前記固定側部材に設けられた一対の係止部に対向させている圧縮コイルバネと
を備え、
前記圧縮コイルバネは、中央部が伸縮部となされ、この伸縮部の両端側が変形抑制部となされており、伸縮部のピッチが変形抑制部のピッチよりも大きくなっている
ことを特徴とするズームスイッチ。
【請求項２】
前記圧縮コイルバネは、伸縮部のバネ定数が変形抑制部のバネ定数よりも小さくなっている
ことを特徴とする請求項１記載のズームスイッチ。
【発明の詳細な説明】
【技術分野】
【０００１】
本発明は、デジタルスチールカメラやデジタルビデオ等に使用されるズームスイッチに関する。
【背景技術】
【０００２】
従来、デジタルスチールカメラやデジタルビデオ等においては、撮像レンズのズーム操作等を行うため、ズームスイッチが使用されている。このようなズームスイッチとして、特許文献１には、小型化を図るため、固定側部材にスライド操作方向に長い一対の案内溝を有する枠状のスライド部を形成しておき、スライド操作部材には、一対の案内溝の間に嵌りスライド操作方向を規定するガイド突起を設けておき、固定側部材のスライド操作方向の少なくとも一端部と、ガイド突起との間に、スライド操作部材をその操作方向のいずれか一方に移動付勢する圧縮用のバネ（付勢部材）を挿入したものが記載されている。
【０００３】
【特許文献１】特開平１０−２３２３４０号公報
【発明の開示】
【発明が解決しようとする課題】
【０００４】
ところで、従来のズームスイッチにおいては、スライド操作時に、圧縮コイルバネが伸び縮みし、圧縮コイルバネ全体の回転も加わって、圧縮コイルバネの端部が接点から外れ、ピッチずれを起こす虞れがあった。
【０００５】
このような状態で、さらにスライド操作を行うと、ノイズ音が発生し、このノイズ音が機器外に漏れて録音ノイズとなったり、また、図３中の（ａ）に示すように、３階調のズームスイッチの電気検査を行うと、図３中の（ｂ）の拡大図に示すように、両側の階調で電気的ノイズが発生し、さらに、操作感触の悪化を招く虞れがあった。
【０００６】
そこで、本発明は、スライド操作時の圧縮コイルバネの変形を抑え、圧縮コイルバネのピッチずれを抑えることにより、ノイズ音及び電気的ノイズの発生が低減され、また、操作感触が良好なズームスイッチを提供することを目的とする。
【課題を解決するための手段】
【０００７】
上記課題を解決するため、本発明は、以下の構成のいずれか一を有するものである。
【０００８】
〔構成１〕
本発明に係るズームスイッチは、スライド操作部材と、スライド操作部材に設けられた一対のガイド突起が挿入されてスライド操作部材のスライド操作方向を規定する案内溝を有する固定側部材と、一対のガイド突起間に配置され両端部をこれらガイド突起に対向させるとともに該両端部を固定側部材に設けられた一対の係止部に対向させている圧縮コイルバネとを備え、圧縮コイルバネは、中央部が伸縮部となされ、この伸縮部の両端側が変形抑制部となされており、伸縮部のピッチが変形抑制部のピッチよりも大きくなっていることを特徴とするものである。
【０００９】
〔構成２〕
本発明に係るズームスイッチは、構成１を有するズームスイッチにおいて、圧縮コイルバネは、伸縮部のバネ定数が変形抑制部のバネ定数よりも小さくなっていることを特徴とするものである。
【発明の効果】
【００１０】
本発明に係るズームスイッチは、構成１を有することにより、圧縮コイルバネは、中央部が伸縮部となされ、この伸縮部の両端側が変形抑制部となされており、伸縮部のピッチが変形抑制部のピッチよりも大きくなっているので、スライド操作部材のスライド操作時の変形が抑えられ、ピッチずれが抑えられることにより、ノイズ音及び電気的ノイズの発生を低減させる。
【００１１】
また、この圧縮コイルバネは、変形抑制部のピッチが小さいことにより、他部品からの異物が混入しにくく、取り扱いが容易であり、また、芯金ベンディングにより容易に製造することができる。
【００１２】
そして、本発明に係るズームスイッチは、構成２を有することにより、圧縮コイルバネは、伸縮部のバネ定数が変形抑制部のバネ定数よりも小さくなっているので、スライド操作部材のスライド操作時の変形が抑えられ、ピッチずれが抑えられ、また、操作感触を良好とする。
【００１３】
また、この圧縮コイルバネは、変形抑制部の剛性が高いため、安定した荷重変位特性を維持するとともに、長寿命である。
【００１４】
すなわち、本発明は、スライド操作時の圧縮コイルバネの変形を抑え、圧縮コイルバネのピッチずれを抑えることにより、ノイズ音及び電気的ノイズの発生が低減され、また、操作感触が良好なズームスイッチを提供することができるものである。
【発明を実施するための最良の形態】
【００１５】
以下、本発明を実施するための最良の形態について図面を参照して説明する。
【００１６】
以下、図面を参照して本発明を説明する。
【００１７】
図１は、本発明に係るズームスイッチの構成を示す正面図である。
【００１８】
このズームスイッチは、図１に示すように、スライド操作部材１と、固定側部材２とを有して構成される。固定側部材２は、デジタルスチールカメラやデジタルビデオ等の電子機器の筐体に対して固定して設置される。スライド操作部材１は、電子機器の筐体より外方側に臨んで設置され、固定側部材２に対してスライド操作される操作部となる。
【００１９】
スライド操作部材１には、一対のガイド突起３，４が設けられている。これらガイド突起３，４は、固定側部材２に形成された案内溝５に挿入されている。この案内溝５は、一対のガイド突起３，４を介して、スライド操作部材１のスライド操作方向を規定する。
【００２０】
そして、一対のガイド突起３，４間には、圧縮コイルバネ６が配置されている。この圧縮コイルバネ６は、両端部を、一対のガイド突起３，４に対向させている。また、圧縮コイルバネ６は、両端部を固定側部材２に設けられた一対の係止部７，８に対向させている。一対のガイド突起３，４間の間隔と、一対の係止部７，８間の間隔とは、互いに等しくなっている。
【００２１】
このズームスイッチにおいては、スライド操作部１に対して操作が行われず、外力が加わっていない状態においては、圧縮コイルバネ６の弾発力により、一方の係止部７及び一方のガイド突起３が対応する位置となされるとともに、他方の係止部８及び他方のガイド突起４が対応する位置となされることにより、スライド操作部材１が中立位置に保持される。
【００２２】
そして、スライド操作部１に対する操作が行われ、図１中矢印Ａで示す一方向の外力が加わると、圧縮コイルバネ６は、一方の係止部７と他方のガイド突起４とによって圧縮される。この操作が解除されると、スライド操作部１は、圧縮コイルバネ６の弾発力により、中立位置に戻される。
【００２３】
また、スライド操作部１に対する操作が行われ、図１中矢印Ｂで示す他方向の外力が加わると、圧縮コイルバネ６は、他方の係止部８と一方のガイド突起３とによって圧縮される。この操作が解除されると、スライド操作部１は、圧縮コイルバネ６の弾発力により、中立位置に戻される。
【００２４】
電子機器においては、スライド操作部１の一方向、または、他方向へのスライドに応じて、撮像レンズのズーミング等の種々の動作が実行される。
【００２５】
図２は、本発明に係るズームスイッチの圧縮コイルバネの構成を示す側面図である。
【００２６】
そして、このズームスイッチにおいては、圧縮コイルバネ６は、図２に示すように、中央部が伸縮部６ａとなされ、この伸縮部６ａの両端側がそれぞれ変形抑制部６ｂ，６ｂとなされている。伸縮部６ａのピッチは、変形抑制部６ｂ，６ｂのピッチよりも大きくなっている。なお、変形抑制部６ｂ，６ｂのピッチは、ほぼ０となっている。
【００２７】
この圧縮コイルバネ６においては、変形抑制部６ｂ，６ｂを有していることにより、伸縮部６ａのピッチは、変形抑制部６ｂ，６ｂのない均等な圧縮コイルバネに比較して、ピッチが約１．２倍になっている。すなわち、圧縮コイルバネの全長Ｌを５ｍｍとし、圧縮コイルバネをなす鋼線の径Ｄを０．１６ｍｍとし、巻き数Ｅを１２とすると、変形抑制部６ｂ，６ｂのない均等な圧縮コイルバネにおいては、ピッチ個数ｎが１１であり、本発明における圧縮コイルバネ６の伸縮部６ａのピッチ個数ｎ´は９である。そして、変形抑制部６ｂ，６ｂのない均等な圧縮コイルバネにおけるピッチをＰ、伸縮部６ａのピッチをＰ´とすると、以下の関係が成立する。
Ｌ＝ＤＥ＋ｎＰ＝ＤＥ＋ｎ´Ｐ´
Ｐ´＝Ｐ（ｎ／ｎ´）＝１１／９≒１．２２
【００２８】
また、伸縮部６ａのバネ定数は、変形抑制部６ｂ，６ｂのバネ定数よりも小さくなっている。例えば、伸縮部６ａのバネ定数は、０．２９Ｎ／ｍｍ程度であるのに対し、変形抑制部６ｂ，６ｂのバネ定数は、ほぼ無限大である。
【００２９】
このズームスイッチにおいては、圧縮コイルバネ６がこのような特性を有していることにより、荷重−変位曲線の立ち上がりが急になり、良好な操作感覚を実現することができる。また、このズームスイッチにおいては、スライド操作部材１のスライド操作時の圧縮コイルバネ６の変形が抑えられ、圧縮コイルバネ６のピッチずれが抑えられることにより、ノイズ音及び電気的ノイズの発生が低減される。なお、従来のズームスイッチにおける電気的ノイズによる不良は約１５％程度であったが、本発明に係るズームスイッチにおいては、電気的ノイズによる不良は確認されていない。
【００３０】
さらに、この圧縮コイルバネ６は、変形抑制部６ｂ，６ｂのピッチが小さいことにより、他部品からの異物が混入しにくく、取り扱いが容易であり、また、芯金ベンディングにより容易に製造することができる。そして、この圧縮コイルバネ６は、変形抑制部６ｂ，６ｂの剛性が高いため、安定した荷重変位特性を維持するとともに、長寿命である。
【００３１】
なお、このような圧縮コイルバネ６は、ズームスイッチのみならず、スプリング端部の変形やピッチずれが懸念される機構、例えば、サスペンション、釦式のスイッチ、ベッドのクッション、機関部弁、撃茎等において広く応用することができる。
【図面の簡単な説明】
【００３２】
【図１】本発明に係るズームスイッチの構成を示す正面図である。
【図２】本発明に係るズームスイッチの圧縮コイルバネの構成を示す側面図である。
【図３】従来のズームスイッチにおいて発生する電気的ノイズを示す波形図である。
【符号の説明】
【００３３】
１      スライド操作部材
２      固定側部材
３，４  ガイド突起
５      案内溝
６      圧縮コイルバネ
６ａ    伸縮部
６ｂ    変形抑制部
７，８  係止部
【図１】
2007178795.tif 000003
【図２】
2007178795.tif 000004
【図３】
2007178795.tif 000005